(57)【要約】【課題】製品収納量に対して使用時の設置スペースが著しく小さくて済むような衛生繊維集合体の包装容器および製品を提供する。【解決手段】衛生用繊維集合体が収容された第一の容器部２０と、第一の容器部２０と異なる衛生用繊維集合体または衛生用繊維集合体以外の物品が収容された第二の容器部３０とを含む複数の容器部２０，３０を一体に形成する。【選択図】図１０
2007261637.tif 000002
【特許請求の範囲】
【請求項１】
衛生用繊維集合体が収容された第一の容器部と、第一の容器部と異なる衛生用繊維集合体または衛生用繊維集合体以外の物品が収容された第二の容器部とを含む複数の容器部を一体に形成してなることを特徴とする衛生用繊維集合体製品。
【請求項２】
前記第一の容器部に薬液を含有するティシュペーパーが収容されており、前記第二の容器部に薬液を含有しないティシュペーパーが収容されている、請求項１記載の衛生用繊維集合体製品。
【請求項３】
前記第一の容器部に香り付きティシュペーパーが収容されており、前記第二の容器部に第一の容器部と異なる香りが付いた又は香り無しのティシュペーパーが収容されている、請求項１記載の衛生用繊維集合体製品。
【請求項４】
前記第一の容器部にティシュペーパー、キッチンペーパー、ペーパータオルまたはコットンが収容されており、前記第二の容器部に、ティシュペーパー、キッチンペーパー、ペーパータオルおよびコットンのうち第一の容器部と異なるものが収容されている、請求項１記載の衛生用繊維集合体製品。
【請求項５】
前記第一の容器部にドライタイプの衛生用繊維集合体製品が収容されており、前記第二の容器部にウェットタイプの繊維集合体製品が収容されている、請求項１記載の衛生用繊維集合体製品。
【請求項６】
実質的に同寸法の六面体状をなす四つの容器部を縦方向及び横方向に各二個ずつ配列し、かつ各容器部が縦方向及び横方向に隣接する他の容器部に対して同寸法の面において四辺が実質的にずれ無く重なるように隣接配置し、
縦方向および横方向の双方に直交する方向を厚さ方向としたとき、厚さ方向のいずれか一方側において隣接する二辺をそれぞれ連結し、これら連結部分に沿って折線を設け、この折線を境に一方側の容器部が他方側の容器部に対して回動するように構成した、
請求項１〜５のいずれか１項に記載の衛生用繊維集合体製品。
【請求項７】
実質的に同寸法の六面体状をなす容器部を二つ有し、これら容器部を同寸法の面において四辺が実質的にずれ無く重なるように対向配置するとともに、
一方の容器部の対向面をなす四辺のうちいずれか一辺を第一の連結辺とし、一方の容器部の対向面における第一の連結辺の対辺と重なる他方の容器部の一辺を第二の連結辺とし、一方の容器部の第一の連結辺から、第一の連結辺と重なる他方の容器部の一辺を含む面であって対向面以外の面、他方の容器部における対向面の対面、他方の容器部における第二の連結辺を含む面であって対向面以外の面をこの順に通り、他方の容器部の第二の連結辺に至る第一の連結部により、一方の容器部の第一の連結辺と他方の容器部の第二の連結辺とを連結し、
第一の連結辺と重なる他方の容器部の一辺を第三の連結辺とし、一方の容器部の対向面における第一の連結辺の対辺を第四の連結辺とし、他方の容器部の第三の連結辺から、一方の容器部における第一の連結辺を含む面であって対向面以外の面、一方の容器部における対向面の対面、一方の容器部における第四の連結辺を含む面であって対向面以外の面をこの順に通り、一方の容器部の第四の連結辺に至る第二の連結部により、他方の容器部の第三の連結辺と一方の容器部の第一の連結辺とを連結してなる、
請求項１〜５のいずれか１項に記載の衛生用繊維集合体製品。
【請求項８】
衛生用繊維集合体が収容された容器部における他の容器部と重なる面に衛生用繊維集合体の取出口が形成されるように構成されている、請求項６または７記載の衛生用繊維集合体製品。
【請求項９】
衛生用繊維集合体が収容された容器部を他の容器部から切り離すことができるようにミシン目が形成されている、請求項１〜８のいずれか１項に記載の衛生用繊維集合体製品。
【発明の詳細な説明】
【技術分野】
【０００１】
本発明は、ティッシュペーパーや、キッチンペーパー、ペーパータオル、あるいは化粧もしくは医療に用いられる衛生用コットン等の衛生用繊維集合体を包装容器に収納してなる衛生用繊維集合体製品に関するものである。
【背景技術】
【０００２】
ティッシュペーパーや、キッチンペーパー、ペーパータオル、あるいは化粧もしくは医療に用いられる衛生用コットン（カットコットン、コットンパフ、またはパフともいわれる）等の衛生用繊維集合体製品は、一般に、直方体状の紙製容器（紙箱）に多数積層収納されて市販されている。使用に際しては、容器の一部に予め形成したミシン目を切り離すことで取出口を形成し、この取出口を介して内部のティシュペーパー等を取り出す仕組みとなっている。（特許文献１〜４参照）
従来、この種の製品では、容器による商品の差別化を目的として、印刷技術や、エンボス加工等の表面加工技術の改良を行ってきた。
しかしながら、従来は、単一の衛生用繊維集合体のみを容器に収容したものを単一の製品とすることが慣行となっており、この限りにおいて、いくら印刷技術や表面加工技術を改良したとしても顕著な製品の差別化を図ることは困難であった。そのため、外観的に新規な形態を有する製品の開発が望まれていた。
【特許文献１】特開平１１−１３０１６７号公報
【特許文献２】特開２００２−２４９１８３号公報
【特許文献３】特開２００５−１６２２５６号公報
【特許文献４】特開平６−９９９７０号公報
【発明の開示】
【発明が解決しようとする課題】
【０００３】
そこで本発明の主たる課題は、付加価値を高めることができ、かつ外観的に新規であり、製品の差別化を容易に図ることができる製品を提供することにある。
【課題を解決するための手段】
【０００４】
上記課題を解決した本発明は、次記のとおりである。
（請求項１記載の発明）
衛生用繊維集合体が収容された第一の容器部と、第一の容器部と異なる衛生用繊維集合体または衛生用繊維集合体以外の物品が収容された第二の容器部とを含む複数の容器部を一体に形成してなることを特徴とする衛生用繊維集合体製品。
【０００５】
（作用効果）
本発明では、製品の容器として複数の容器部を一体化したものを用いるとともに、少なくとも一つに衛生用繊維集合体を収容し、他の少なくとも一つの容器部に他の種類の衛生用繊維集合体や、衛生用繊維集合体以外の任意の物品を収容する。よって、異なる衛生用繊維集合体を一つの製品パッケージとしたり、玩具、景品等の他の任意の物品が付属する一つの製品パッケージとしたりすることができ、より付加価値が高く、外観的にも新規な形態となる。その結果、製品の差別化を容易に図ることができるようになる。
【０００６】
（請求項２記載の発明）
前記第一の容器部に薬液を含有するティシュペーパーが収容されており、前記第二の容器部に薬液を含有しないティシュペーパーが収容されている、請求項１記載の衛生用繊維集合体製品。
【０００７】
（作用効果）
近年、保湿剤等の薬液を含有させることによりしっとり感を高め、肌触りを向上させた、いわゆる高級タイプのティシュペーパーが市販され、繰り返し鼻をかんでも肌がヒリヒリし難い、または鼻が赤くなり難いとして人気を呼んでいる。しかし、使用者は、かかる高級タイプのティシュペーパーと、薬液を含有しない一般的なティシュペーパーとを用途に応じて使い分けており、両者を別々に購入し、別々に設置する若しくは取り扱うという煩雑な事態を招いていた。これに対して、本項記載のように構成すると、一つの製品で異なる機能のティシュペーパーを使い分けることができ、非常に便利になる。
【０００８】
（請求項３記載の発明）
前記第一の容器部に香り付きティシュペーパーが収容されており、前記第二の容器部に第一の容器部と異なる香りが付いた又は香り無しのティシュペーパーが収容されている、請求項１記載の衛生用繊維集合体製品。
【０００９】
（作用効果）
近年では、ティシュペーパーの付加価値を高めるために、ティシュペーパーに香りを付けること（ティシュペーパーに香料を付与することのみならず、容器に香料を付与しておき、その香りをティシュペーパーに移すことも含む）も行われている。しかし、使用者は、香りの有無を用途に応じて使い分けており、両者を別々に購入し、別々に設置する若しくは取り扱うという煩雑な事態を招いていた。これに対して、本項記載のように構成すると、一つの製品で異なる機能のティシュペーパーを使い分けることができ、非常に便利になる。
【００１０】
（請求項４記載の発明）
前記第一の容器部にティシュペーパー、キッチンペーパー、ペーパータオルまたはコットンが収容されており、前記第二の容器部に、ティシュペーパー、キッチンペーパー、ペーパータオルおよびコットンのうち第一の容器部と異なるものが収容されている、請求項１記載の衛生用繊維集合体製品。
【００１１】
（作用効果）
多くの家庭では、ティシュペーパー、キッチンペーパー、ペーパータオルおよびコットンのうち、少なくとも２種類以上は使用しており、またティシュペーパートとキッチンペーパーもしくはペーパータオル、あるいはティシュペーパーとコットンは、同時に使用されることも多いものである。しかし、従来は、これらを別々に購入し、別々に設置する若しくは取り扱うという煩雑な事態を招いていた。これに対して、本項記載のように構成すると、一つの製品で異なる種類の繊維集合体製品を使い分けることができ、非常に便利になる。
【００１２】
（請求項５記載の発明）
前記第一の容器部にドライタイプの衛生用繊維集合体製品が収容されており、前記第二の容器部にウェットタイプの繊維集合体製品が収容されている、請求項１記載の衛生用繊維集合体製品。
【００１３】
（作用効果）
ティシュペーパーやペーパータオル（手拭の他、局部拭き取り用含む）では、拭き取り性に優れるウェットタイプのものが市販されており、使用者は用途に応じてドライタイプのものと使い分けている。また、このようなウェットタイプのものを使用する場合、その使用後に残存する液分を拭き取るためにドライタイプのものを用いることも多い。しかし、従来は、これらを別々に購入し、別々に設置する若しくは取り扱うという煩雑な事態を招いていた。これに対して、本項記載のように構成すると、一つの製品でドライ・ウェット両方の繊維集合体を使い分けることができ、非常に便利になる。
なお、この形態では、全ての容器部を耐水性かつ不透液性の素材で形成するのが好ましいが、ウェットタイプを収容する容器部のみ耐水性かつ不透液性素材で形成し、他の容器部については耐水性を有しない素材で形成することもできる。
【００１４】
（請求項６記載の発明）
実質的に同寸法の六面体状をなす四つの容器部を縦方向及び横方向に各二個ずつ配列し、かつ各容器部が縦方向及び横方向に隣接する他の容器部に対して同寸法の面において四辺が実質的にずれ無く重なるように隣接配置し、
縦方向および横方向の双方に直交する方向を厚さ方向としたとき、厚さ方向のいずれか一方側において隣接する二辺をそれぞれ連結し、これら連結部分に沿って折線を設け、この折線を境に一方側の容器部が他方側の容器部に対して回動するように構成した、
請求項１〜５のいずれか１項に記載の衛生用繊維集合体製品。
【００１５】
（作用効果）
本項記載の場合、縦方向中央の容器部間、あるいは横方向中央の容器部間を境界としてその両側の容器部を割り開くように１８０度回動させることができるため、容器部間の連結を維持しつつ立体パズルのように操作し遊ぶことができる。よって、より付加価値を高めることができ、かつ外観的に新規であり、製品の差別化を容易に図ることができるようになる。
【００１６】
（請求項７記載の発明）
実質的に同寸法の六面体状をなす容器部を二つ有し、これら容器部を同寸法の面において四辺が実質的にずれ無く重なるように対向配置するとともに、
一方の容器部の対向面をなす四辺のうちいずれか一辺を第一の連結辺とし、一方の容器部の対向面における第一の連結辺の対辺と重なる他方の容器部の一辺を第二の連結辺とし、一方の容器部の第一の連結辺から、第一の連結辺と重なる他方の容器部の一辺を含む面であって対向面以外の面、他方の容器部における対向面の対面、他方の容器部における第二の連結辺を含む面であって対向面以外の面をこの順に通り、他方の容器部の第二の連結辺に至る第一の連結部により、一方の容器部の第一の連結辺と他方の容器部の第二の連結辺とを連結し、
第一の連結辺と重なる他方の容器部の一辺を第三の連結辺とし、一方の容器部の対向面における第一の連結辺の対辺を第四の連結辺とし、他方の容器部の第三の連結辺から、一方の容器部における第一の連結辺を含む面であって対向面以外の面、一方の容器部における対向面の対面、一方の容器部における第四の連結辺を含む面であって対向面以外の面をこの順に通り、一方の容器部の第四の連結辺に至る第二の連結部により、他方の容器部の第三の連結辺と一方の容器部の第一の連結辺とを連結してなる、
請求項１〜５のいずれか１項に記載の衛生用繊維集合体製品。
【００１７】
（作用効果）
本項記載の場合、第一及び第二の連結部により一方の容器部と他方の容器部との連結を維持し、辺あるいは面相互の隣接を維持したまま、両容器部の境界を第一の連結辺と反対側において割り開くことで、当初の対向面を裏返して外面とし、当初の対向面の対面を新たな対向面とし、しかも、さらに同じように割り開くことで、外面となった当初の対向面が再び対向面に戻るという、通常予想できないような立体パズル動作を楽しむことができる。なお、この操作は、一方の容器部を基準としてみれば、他方の容器部が一方の容器部の周りを転がりながら一周するといった操作になる。
【００１８】
（請求項８記載の発明）
衛生用繊維集合体が収容された容器部における他の容器部と重なる面に衛生用繊維集合体の取出口が形成されるように構成されている、請求項６または７記載の衛生用繊維集合体製品。
【００１９】
（作用効果）
本項記載の発明では、衛生用繊維集合体の取出口が外面から見えず、容器部間の連結を維持したまま容器部を操作することにより取出口が出現するため、面白みに富むようになる。また、使用前には取出口が他の容器部により塞がれるため、外観見栄えが良くなるとともに、取出口に蓋をせずとも使用前における異物進入を防止できる。
【００２０】
（請求項９記載の発明）
衛生用繊維集合体が収容された容器部を他の容器部から切り離すことができるようにミシン目が形成されている、請求項１〜８のいずれか１項に記載の衛生用繊維集合体製品。
【００２１】
（作用効果）
本項記載の発明では、使用に際して容器部を分離して設置し、他の容器部を保管する、廃棄する、あるいは別の場所に設置する等でき、省スペースでの利用が可能になる等の利点がもたらされる。
【発明の効果】
【００２２】
以上のとおり本発明によれば、一製品の収納量に対して使用時の設置スペースが著しく小さくて済む、円滑・容易な取り出しが可能でありながら異物進入が防止される、等の利点がもたらされる。
【発明を実施するための最良の形態】
【００２３】
以下、本発明の実施形態について添付図面を参照しつつ詳説する。なお、以下では、説明の便宜上、上下左右を定めて説明するが、製品の製造時、運搬時、保管時、陳列時、使用時における方向はこれに限定されない。
（第一の実施形態）
図１は、本発明に係る繊維集合体製品の外観を示しており、この形態は、実質的に同寸法の直方体状をなす四つの紙箱製の容器部１〜４を縦方向及び横方向に各二個ずつ配列し、かつ各容器部１〜４が縦方向及び横方向に隣接する他の容器部１〜４に対して同寸法の面において四辺が実質的にずれ無く重なるように隣接配置してなるものである。
【００２４】
各容器部１〜４の展開形状は図３に示されている。すなわち、四側面１１〜１４が連設されるとともに、そのいずれか一つの側面１２の上側に上面１５が連設され、かつ他のいずれか一つの側面１４の下側に下面１６が連設されてなる公知の六面体の展開形状を基に、隣接する他の容器部１〜４との対向面になるいずれか一方の側面１２の底辺１２ｂに、他の容器部１〜４に連結するための連結フラップ１７が突出するとともに、他の容器部１〜４との対向面になる他方の側面１３の底辺１３ｂ、ならびに他の辺のうち組み立て状態で隣接するようになる二辺のいずれか適宜の方に、角部の隙間を埋める角部フラップ１８，１８Ｂがそれぞれ突出している。角部フラップ１０のうち側面相互を突き合わせる部位のフラップ１８Ｂは、糊付けにより他方の側面１１に固定される。また、各フラップの１７，１８，１８Ｂの基端および各面１１〜１６の境界線に沿って圧縮加工による折目が形成されている。
【００２５】
これを各面１１〜１６及び各フラップ１７，１８，１８ｂの境界線で折り曲げて組み立てることにより、図２に示されるような外観の単位容器部１〜４が形成される。各容器部１〜４においては、隣接する他の容器部１〜４との対向面になるいずれか一方の側面１２の底辺１２ｂから連結フラップ１７が底面１６に沿って外側に突出しており、角部フラップ１８，１８Ｂは全て内部に隠れるように折り曲げられて配される。
【００２６】
連結フラップ１７は、他の容器部１〜４に対して連結する部分であり、その連結構造は特に限定されず、例えば糊等の接着剤や接着テープを用いて接着することもできるが、本実施形態では構造的な連結形態を採用している。すなわち、連結フラップ１７に、基端側に膨出するように半円状（山形や凸形でも良い）の切込み１７ｃを入れ、切込み１７ｃの両端を結ぶ線を折り線として掛止フラップ１９を折りだし、この掛止フラップ１９を図４に示されるように、隣接する他の容器部１〜４の底辺１３ｂから突出する角部フラップ１８に掛止する構造となっている。連結フラップ１７によって連結された一方の容器部１〜４は、他方の容器部１〜４に対して、連結フラップ１７の基端の折線を境に回動するようになっている。なお、本実施形態では共通構造の容器部１〜４を用いるため、図示のように、各容器部１〜４の連結フラップ１７は周方向の所定の側に隣接する他の容器部１〜４の角部フラップ１８上に突出し、当該角部フラップ１８に掛止されるようになっている。
【００２７】
また、本実施形態では、隣接する他の容器部１〜４との対向面（図示形態では連結フラップが突出する側の側面）に取出口を形成するためのミシン目１２ｃが、所望の取出口形状（環状等）に沿って形成されている。
【００２８】
他方、容器部１〜４の少なくとも一つには衛生用繊維集合体が複数収容され、他の少なくとも一つの容器部１〜４には他の種類の衛生用繊維集合体が複数収容される、あるいは衛生用繊維集合体以外の任意の物品が一つ又は複数収容される。全ての容器部１〜４に衛生用繊維集合体を収容する場合は、全ての容器部１〜４に取出口１２ｃが形成されるようになっているのが好ましく、本実施形態もこの場合を想定している。一方、衛生用繊維集合体以外の任意の物品、例えば景品を収容する場合等においては（衛生用繊維集合体を収容する場合であっても必要に応じて）、後述の第二の実施形態のように、少なくとも当該任意の物品を収容する部分については取出口またはこれを形成するためのミシン目１２ｃを形成せず、容器部１〜４のいずれかの面を開封することにより内容物を取り出すように構成することができる。
【００２９】
衛生用繊維集合体としては、薬液（保湿剤、柔軟剤等の少なくとも一種を含む）含有タイプ、薬液非含有タイプ、香り付きタイプ、香り無しタイプ、ドライタイプ、ウェットタイプ、およびこれらの複合タイプの、ティシュペーパー、キッチンペーパー、ペーパータオルおよびコットンを用いることができる。このうち、特に前述の組み合わせが好ましい。
【００３０】
かくして構成された製品では、図５及び図６に示されるように、上面側（縦方向および横方向の双方に直交する方向を厚さ方向としたとき、厚さ方向のいずれか一方側において、横方向中央の容器部間を境界としてその両側の容器部１，３と容器部２，４とを割り開くように１８０度回動させることができ、また図示しないが、縦方向中央の容器部間、つまり容器部１，２と容器部３，４との間を割り開くように１８０度回動させることもできるため、容器部１〜４間の連結を維持しつつ立体パズルのように操作し遊ぶことができる。
【００３１】
また本実施形態では、この操作により、平面的に視て対角に並ぶ二対の容器部のうち、いずれか一方（図示例では容器部２，３）にのみ取出口部位（ミシン目１２ｃ，１２ｃ部位）が上面に現れ、他方には現れないようになっている。よって、当初、縦横いずれか一方の容器部間を割り開いた状態で設置し、取出口が現れた容器部から収容物の使用を開始し、後にこの容器部の収容物を使い切った後に、縦横いずれか他方の容器部間を割り開いた状態で設置し、新たに取出口の現れた容器部内の収容物を使用するといった使用形態や、不使用時は全ての取出口が隠れるように畳んでおき、使用時に適宜割り開いて現れる取出口を介して内容物を使用するといった使用形態等、面白みに富む様々な使用形態を取ることができる。
【００３２】
（第二の実施形態）
図７は、本発明に係る繊維集合体製品の外観を示しており、図８はその平面概略図である。この形態は、実質的に同寸法の直方体状をなす容器部２０，３０を左右二つ有し、これら容器部２０，３０を同寸法の側面において四辺が実質的にずれ無く重なるように対向配置してなるものである。
【００３３】
このような容器部２０，３０は紙を折り曲げて組み立てることにより形成することができ、そのための両容器部２０，３０の展開形状及び部品が図９に示されている。すなわち、各容器部２０，３０は、四側面２１〜２４、３１〜３４が連設されるとともにそのいずれか一側面２２，３２の上下両側に上面２５，３５及び下面２６，３６がそれぞれ連設された公知の六面体の展開形状を基に、組み立て状態で隣接するようになる二辺のいずれか適宜の方に、角部の隙間を埋める角部フラップ２８，２８Ｂ、３８，３８Ｂが突出し、このうち側面相互を突き合わせる部位のフラップ２８Ｂ，３８Ｂは糊付けにより他方の側面に固定されるようになっている。角部フラップ２８，２８Ｂ、３８，３８Ｂは組み立て上体では全て内部に隠れるように折り曲げられて配される。
【００３４】
また、右側の容器部３０における左側の容器部２０との対向面をなす四辺のうち背面側の辺が第一の連結辺４０とされ、この第一の連結辺４０の対辺と重なる左側の容器部２０の一辺が第二の連結辺４１とされている。図示形態では、これら第一及び第二の連結辺４０，４１における中央部に連結孔４０ｈ、４１ｈがそれぞれ形成されている。そして、右側の容器部３０の第一の連結辺４０の連結孔４０ｈから、第一の連結辺４０と重なる左側の容器部２０の一辺を含む面であって対向面以外の面２１、左側の容器部２０における対向面の対面２２、左側の容器部２０における第二の連結辺４１を含む面であって対向面以外の面２３をこの順に通り、左側の容器部２０の第二の連結辺４１の連結孔４０ｈまで、帯状部材からなる第一の連結部６０が延在している。第一の連結部６０は、予め連結孔４０ｈ，４１ｈよりも幅広に形成した両端部６１を有しており、この両端部６１を各連結孔４０ｈ，４１ｈに強制的に挿入することにより、左右容器部２０，３０の連結孔４０ｈ、４１ｈに掛止される。かくして、右側の容器部３０の第一の連結辺４０と左側の容器部２０の第二の連結辺４１とが、上下方向中央部において第一の連結部６０を介して連結される。
【００３５】
さらに、第一の連結辺４０と重なる左側の容器部２０の一辺が第三の連結辺４２とされ、右側の容器部３０の対向面における第一の連結辺４０の対辺が第四の連結辺４３とされている。そして、図示形態では、これら第三及び第四の連結辺４２，４３が、左側の容器部２０の第三の連結辺４２から、右側の容器部３０における第一の連結辺４０を含む面であって対向面以外の面３３、右側の容器部３０における対向面の対面３２、右側の容器部３０における第四の連結辺４３を含む面であって対向面以外の面３１をこの順に通り、右側の容器部３０の第四の連結辺４３に至る第二の連結部５０により連結されている。特に図示形態では、第三の連結辺４２の両端部と第四の連結辺４３の両端部とが、一対の平行な帯状連結部５０，５０を介してそれぞれ連結され、これら第二の連結部５０，５０間に第一の連結部６０が平行に収まるように構成されている。
【００３６】
また、各フラップ２８，２８Ｂ、３８，３８Ｂの基端および各面２１〜２６、３１〜３６の境界線に沿って圧縮加工による折目が形成されるとともに、第一の連結部６０および第二の連結部５０は、各容器部２０，３０の表面に沿って屈曲するように予め圧縮加工による折目が形成されている。
【００３７】
なお、図示形態では、第一の連結部６０が別体として形成され、第二連結部５０が予め一体化されているが、反対でも良く、また両者ともに別体として形成されていても良い。さらに連結部５０，６０と容器部２０，３０との連結形態は特に限定されるものではなく、図示形態のように構造的な連結形態を採用しても、また糊等の接着剤や接着テープを用いて接着しても良い。
【００３８】
他方、容器部２０，３０内に収容される物品については第一の実施形態と同様であるので説明を省略するが、前述のとおり、本実施形態では左側の容器部２０の対向面にのみ取出口が開口するようにミシン目２７が形成されており、右側の容器部３０の内容物は上面または下面を開くことによって取り出すことができるようになっている。
【００３９】
かくして構成された製品では、図７及び図８に示す状態から両容器部２０，３０の境界を正面側（第一の連結辺４０に対して反対側）において図１０及び図１１に示すように割り開くことで、第一及び第二の連結部６０，５０により両容器部２０，３０の連結を維持し、辺あるいは面相互の隣接を維持したまま、図１２及び図１３に示すように当初の対向面２４，３４を裏返して外面とし、当初の対向面２４，３４の対面２２，３２を新たな対向面とし、しかも、図１４及び図１５に示すように、さらに同じように割り開くことで、図１６及び図１７に示すように外面となった当初の対向面２４，３４が再び対向面に戻る（ただし、連結辺４０，４１の位置は背面側から正面側に移動して入れ替わっている）という、通常予想できないような立体パズル動作を楽しむことができる。なお、この操作は、一方の容器部２０を基準としてみれば、他方の容器部３０が一方の容器部２０の周りを転がりながら一周するといった操作になる。
【００４０】
また、本実施形態では、当初隠れていた取出口部位（ミシン目２７部位）が、上記回転操作により現れ、最終的には再び隠れる。よって、例えば、両容器部２０，３０の境界を正面側から割り開き、取出口を介して繊維集合体を取り出した後、その後の持ち手の向きに応じて順・逆いずれかやり易い方向の操作で取出口を隠すことができる等、面白みに富む様々な使用形態を取ることができる。
【００４１】
（その他）
上記実施形態の容器部１〜４、２０，３０は容器部相互が一体化されており、素材を破く以外に切り離しは不可能であるが、容器部相互を繋ぐ部分、例えば第一の実施形態における連結フラップ１７の基端の折線１２ｂに沿ってミシン目を形成しておき、衛生用繊維集合体が収容された容器部を他の容器部から切り離すことができるように構成することもできる。
【００４２】
上記実施形態の容器部１〜４、２０，３０は直方体状をなしているが、立方体状をなしていても良い。
【００４３】
また、上記実施形態は紙箱を想定しているが、ウェットタイプの繊維集合体を収容する場合等、必要に応じて一部または全部の容器部を耐水性かつ不透液性の素材、例えばポリエチレンやポリプロピレンで形成することができる。
【産業上の利用可能性】
【００４４】
本発明は、薬液（保湿剤、柔軟剤等の少なくとも一種を含む）含有タイプ、薬液非含有タイプ、香り付きタイプ、香り無しタイプ、ドライタイプ、ウェットタイプ、およびこれらの複合タイプの、ティシュペーパー、キッチンペーパー、ペーパータオルおよびコットン等、各種の衛生用繊維集合体製品に対して適用することができる。
【図面の簡単な説明】
【００４５】
【図１】第一の実施形態の斜視図である。
【図２】単位容器部の斜視図である。
【図３】単位容器部の展開図である。
【図４】各容器部の底面を開放した状態を示す、底面側から視た斜視図である。
【図５】第一の実施形態の操作要領を示す斜視図である。
【図６】第一の実施形態の操作要領を示す斜視図である。
【図７】第二の実施形態の斜視図である。
【図８】第二の実施形態の展開図である。
【図９】平面概略図である。
【図１０】第二の実施形態の操作要領を示す斜視図である。
【図１１】図１０の平面概略図である。
【図１２】第二の実施形態の操作要領を示す斜視図である。
【図１３】図１２の平面概略図である。
【図１４】第二の実施形態の操作要領を示す斜視図である。
【図１５】図１４の平面概略図である。
【図１６】第二の実施形態の操作要領を示す斜視図である。
【図１７】図１６の平面概略図である。
【符号の説明】
【００４６】
１〜４…容器部、２０，３０…容器部。
【図１】
2007261637.tif 000003
【図２】
2007261637.tif 000004
【図３】
2007261637.tif 000005
【図４】
2007261637.tif 000006
【図５】
2007261637.tif 000007
【図６】
2007261637.tif 000008
【図７】
2007261637.tif 000009
【図８】
2007261637.tif 000010
【図９】
2007261637.tif 000011
【図１０】
2007261637.tif 000012
【図１１】
2007261637.tif 000013
【図１２】
2007261637.tif 000014
【図１３】
2007261637.tif 000015
【図１４】
2007261637.tif 000016
【図１５】
2007261637.tif 000017
【図１６】
2007261637.tif 000018
【図１７】
2007261637.tif 000019